(57)【要約】【課題】  大がかりな装置を必要とせず薬液の注入速度や注入量などの注入条件を注入位置に応じて容易に変更でき、また、注入位置に応じて所望の注入条件となるように経時的に制御ができる土壌固定液注入装置を提供する。【解決手段】  土壌固定液を注入すべき複数の地点１１にそれぞれ設けられた注入管昇降手段２８を有する二重管注入装置２０と、各二重管注入装置２０にそれぞれ土壌固定液Ｇを圧送する個々に独立したポンプ３０と、各二重管注入装置２０の注入管昇降手段２８および各ポンプ３０の駆動を制御する駆動制御部と各注入管昇降手段２８および各ポンプ３０の駆動および停止を時系列的に設定する設定部と各二重管注入装置２０の二次元的配置位置（Ｘ−Ｙ）および深さ方向位置（Ｚ）の三次元位置と各三次元位置の未注入位置および既注入位置を記録表示する記録表示部とを有する制御装置５０と、を有する。【選択図】      図１
2005163457.tif 000002
【特許請求の範囲】
【請求項１】
土壌固定液を注入すべき複数の地点にそれぞれ設けられた注入管昇降手段を有する二重管注入装置と、
各該二重管注入装置にそれぞれ土壌固定液を圧送する個々に独立したポンプと、
各該二重管注入装置の該注入管昇降手段および各該ポンプの駆動を制御する駆動制御部と、各該注入管昇降手段および各該ポンプの駆動および停止を時系列的に設定する設定部と、各該二重管注入装置の二次元的配置位置および深さ方向位置の三次元位置と各三次元位置の未注入位置および既注入位置を記録表示する記録表示部とを有する制御装置と、
を有することを特徴とする土壌固定液注入装置。
【請求項２】
前記設定部は土壌固定液の注入される各該三次元位置毎に注入量が設定され、かつ該記録表示部は各該三次元位置毎の注入量の有無を記録表示する請求項１記載の土壌固定液注入装置。
【請求項３】
前記制御装置は、前記三次元位置での再注入のための再注入設定記録表示部をもつ請求項１記載の土壌固定液注入装置。
【請求項４】
それぞれ異なる土壌固定液を収納する複数の固定液タンクを有し、各該ポンプは所定の固定液タンクから所定の土壌固定液を供給され、前記記録表示部は各前記三次元位置に注入される土壌固定液の種類を記録表示する請求項１記載の土壌固定液注入装置。
【発明の詳細な説明】
【技術分野】
【０００１】
本発明は、地盤中に土壌固定液を多点的に注入して地盤を改質する、土壌固定液注入装置に関する。
【背景技術】
【０００２】
土木工事や建設現場では、地盤強化や遮水、地震による液状化を防止することを目的として、地盤の改良が広く行われている。特に、我が国のように複雑な地質構成を有する場合、対象地盤に安全で的確な地盤の改良を行うことは容易ではない。そのため、近年、様々な地盤改良工法が研究・開発されてきた。
【０００３】
たとえば、特許文献１では、地盤中に配置された複数の注入管から地盤改良材などの薬液を地盤中に注入することができる、多点地盤注入装置を開示している。特許文献１の装置において、複数本の注入管は、その吐出口が軸方向の互いに異なる位置となるように結束されている。結束された注入管は、地盤に開けられた削孔に挿入される。この際、注入管の吐出口は軸方向の異なる位置にあるため、削孔の軸方向の異なる位置から削孔の周辺の地盤中へ薬液を注入することができる。
【特許文献１】特開２０００−４５２５９号公報
【発明の開示】
【発明が解決しようとする課題】
【０００４】
上記の多点地盤注入装置では、各注入管で同じように薬液を注入する場合は、薬液の入ったタンクから１台のポンプで各注入管へ一度に薬液を送ればよい。しかしながら、削孔周辺の地盤状況に応じて異なる速度や量で薬液を注入したい場合には、それぞれの注入管ごとにポンプを設置したり、１つの駆動源で駆動する多連装ポンプのような特殊な装置が必要となる。また、複数の削孔に薬液を注入したい場合は、さらにポンプが増加する。その結果、装置が大がかりとなるので、大きな移動手段や広い設置場所が必要となる。したがって、コストの面からも、設置場所の面からも、実用的であるとは言い難い。
【０００５】
そこで、本発明者等は、上記問題点を解決するために、新規の注入装置を発明するに至った。すなわち、本発明は、大がかりな装置を必要とせず、薬液の注入速度や注入量などの注入条件を注入位置に応じて容易に変更できる土壌固定液注入装置を提供することを目的とする。また、注入位置に応じて所望の注入条件となるように経時的に制御ができる土壌固定液注入装置を提供することを目的とする。
【課題を解決するための手段】
【０００６】
本発明の土壌固定液注入装置は、土壌固定液を注入すべき複数の地点にそれぞれ設けられた注入管昇降手段を有する二重管注入装置と、各該二重管注入装置にそれぞれ土壌固定液を圧送する個々に独立したポンプと、各該二重管注入装置の該注入管昇降手段および各該ポンプの駆動を制御する駆動制御部と各該注入管昇降手段および各該ポンプの駆動および停止を時系列的に設定する設定部と各該二重管注入装置の二次元的配置位置および深さ方向位置の三次元位置と各三次元位置の未注入位置および既注入位置を記録表示する記録表示部とを有する制御装置と、を有することを特徴とする。
【０００７】
本発明の土壌固定液注入装置において、前記設定部は、土壌固定液の注入される各該三次元位置毎に注入量が設定され、かつ該記録表示部は各該三次元位置毎の注入量の有無を記録表示するのが好ましい。
【０００８】
また、前記制御装置は、前記三次元位置での再注入のための再注入設定記録表示部をもつのが好ましい。
【０００９】
さらに、本発明の土壌固定液注入装置は、それぞれ異なる土壌固定液を収納する複数の固定液タンクを有し、各該ポンプは所定の固定液タンクから所定の土壌固定液を供給され、前記記録表示部は各前記三次元位置に注入される土壌固定液の種類を記録表示するのが好ましい。
【発明の効果】
【００１０】
本発明の土壌固定液注入装置によれば、二重管注入装置は、土壌固定液を注入すべき複数の地点にそれぞれ設けられた注入管昇降手段を有するので、注入管昇降手段を昇降させることにより、任意の昇降位置で土壌固定液を注入することができる。そして、各二重管注入装置にそれぞれ土壌固定液を圧送するポンプは、個々に独立して配設されるため、個々のポンプにより異なる昇降位置での注入が可能となる。
【００１１】
また、注入管昇降手段およびポンプの駆動を制御する駆動制御部、注入管昇降手段およびポンプの駆動および停止を設定する設定部、二重管注入装置の配置位置や未注入位置および既注入位置を記録表示する記録表示部、を有する制御装置により、土壌の状況に応じた注入条件となるように注入管昇降手段やポンプを経時的に制御するとともに、注入状況を三次元的に確認することができる。その結果、的確な注入を経時的に行うことができる。
【００１２】
さらに、二重管注入装置を地盤の各地点に設置後は、制御装置により、設定に従って土壌固定液を一度に注入できるため、複数の地点を集中的に管理することができ、操作が容易である。
【００１３】
なお、土壌の状況に応じた注入とは、具体的には、土壌の粗密により土壌固定液の液種を換えたり、土壌固定液の注入速度を変えたりすることである。土壌の状況に応じた注入をするのは、たとえば、粘性土などの細粒からなる土壌に急激に、粘度の高い土壌固定液を急激に注入してしまうと、地盤に亀裂が入ったり隆起するなどして、好ましくないからである。
【発明を実施するための最良の形態】
【００１４】
以下に、本発明の土壌固定液注入装置を実施するための最良の形態を説明する。
【００１５】
本発明の土壌固定液注入装置は、軟弱地盤等の土壌に薬液を注入することにより、土壌を固定し、地盤を改質するための装置である。本発明の土壌固定液注入装置は、二重管注入装置と、ポンプと、制御装置と、を有する。
【００１６】
二重管注入装置は、管状の本体部を有し外側に位置する管（外管とする）および内側に位置する管（内管とする）を有する二重管からなるのが望ましい。この際、外管と内管とは、同軸的に配設されるのが望ましく、内管は、外管の管内に収容され軸方向に移動可能であるのがよい。また、外管および内管の本体部は、硬質樹脂製や金属製であれば、特に限定はない。
【００１７】
外管には、土壌固定液を土壌に注入するための開口が形成されているのがよい。外管の開口は、リング状に配列し、かつ、軸方向の任意の間隔で形成されているのが望ましい。また、開口の形状や数に特に限定はなく、土壌の状況に応じて、円形や、軸方向に長い楕円形やスリット状など、適宜選択すればよい。
【００１８】
外管の内側に位置する内管は、外管に土壌固定液を圧入するのが望ましい。そのため、内管は、土壌固定液を外管に圧入する開口を有するとよい。開口の位置や形状、数などに特に限定はないが、開口は内管の先端部に形成されるのが望ましい。
【００１９】
また、内管の開口から圧入された土壌固定液が外管の軸方向に流動するのを防ぐことができる流止手段を設けるとよい。流止手段の構成としては、流止手段と外管の内面とで土壌固定液を区画できる構成であれば特に限定はなく、内管の開口の軸方向の上下に形成され、外管の内周面にリング状に当接する形態であるのが好ましい。たとえば、内管が外管内で軸方向に移動する際に流止手段と外管の内面とが摺接する構成や、内管の開口から土壌固定液を圧入する際に流止手段が空気圧等により膨らむことにより外管の内面とリング状に当接する構成などがよい。なお、流止手段はゴム製であるのが好ましいが、流止手段と摺接する外管の内面をゴム製としてもよい。
【００２０】
二重管注入装置は、土壌固定液を注入すべき複数の地点にそれぞれ設けられた注入管昇降手段を有する。注入管昇降手段は、二重管注入装置の二重管のうち、外側に位置する管に対して内側に位置する管を昇降させるのが望ましい。注入管昇降手段としては、一般に昇降手段として知られている昇降装置であれば特に限定はなく、たとえば、油圧ジャッキ等からなるジャッキ装置などを用いればよい。
【００２１】
なお、二重管注入装置のうち、外管は、土壌固定液の注入後、対象地盤中に埋め込まれるのが望ましい。そのため、外管は、軽量で安価な材料であるか、または、高強度で劣化の少ない材料がであるのが望ましい。軽量・安価な材料からなる場合にはコストを低減することができ、高強度の材料からなる場合は地盤を補強することができる。
【００２２】
本発明の土壌固定液注入装置において、ポンプは、各二重管注入装置にそれぞれ土壌固定液を圧送する。そして、ポンプは、各二重管注入装置に対して、個々に独立している。使用するポンプの種類に特に限定はなく、一般的に用いられている液体を圧送するポンプであればよいが、土壌固定液を圧送する速度が可変であるのが望ましい。
【００２３】
本発明の土壌固定液注入装置において、制御装置は、駆動制御部と、設定部と、記録表示部と、を有する。
【００２４】
駆動制御部は、各二重管注入装置の注入管昇降手段および各ポンプの駆動を制御する。また、設定部は、各注入管昇降手段および各ポンプの駆動および停止を時系列的に設定する。設定部により注入管昇降手段の昇降位置に対してポンプの起動・停止および送圧速度を設定することができ、駆動制御部により設定に応じて各注入管昇降手段および各ポンプを駆動することができる。そのため、土壌の状況に応じた的確な土壌固定液の注入を経時的に行うことができる。そして、記録表示部は、各二重管注入装置の二次元的配置位置および深さ方向位置の三次元位置と、各三次元位置の未注入位置および既注入位置を記録表示する。記録表示部により、土壌固定液の注入状況、すなわち注入作業の進行状況を確認することができる。
【００２５】
さらに、設定部は、土壌固定液の注入される各三次元位置毎に注入量が設定され、かつ記録表示部は各三次元位置毎の注入量の有無を記録表示するのが好ましい。設定部には、注入量の他、注入圧力、流量、注入時間などが設定されてもよい。また、記録表示部は、注入量の有無の他、ポンプの番号や、注入作業中の注入速度、注入量、注入圧力、注入時間、また、土壌固定液の種類などを記録表示させたり、圧力や流量を経時的にグラフ化して表示させてもよい。
【００２６】
また、制御装置は、三次元位置での再注入のための再注入設定記録表示部をもつのが好ましい。さらに、それぞれ異なる土壌固定液を収納する複数の固定液タンクを有し、各該ポンプは所定の固定液タンクから所定の土壌固定液を供給され、記録表示部は各前記三次元位置に注入される土壌固定液の種類を記録表示するのが好ましい。これらの構成により、いったん必要な位置に土壌固定液を注入した後で（「第一注入」とする）、別の種類の土壌固定液を注入する際、未注入位置、既注入位置、さらに別の土壌固定液を注入したい既注入位置などを容易に知ることができる。また、第一注入後の注入状況が、注入位置に応じて記録されていれば、以後の土壌固定液の注入を設定するのが容易である。
【００２７】
なお、上記の他にも、固定液タンクとポンプとの間に供給手段を設けたり、土壌固定液の液種を換える際の二重管注入装置の洗浄手段を設けてもよい。そして、供給手段や洗浄手段なども、その起動・停止等を制御装置により経時的に制御できるようにしてもよい。
【実施例】
【００２８】
以下に、本発明の土壌固定液注入装置の実施例を図面を用いて説明する。図１は、本実施例の土壌固定液注入装置の全体的な構成の概念図である。そして図２は、図１の一部を示す模式図である。図３および図４は、本実施例の土壌固定液注入装置の二重管注入装置を示す。
【００２９】
＜土壌固定液注入装置＞
本実施例の土壌固定液注入装置は、地盤１０の１６地点に形成された削孔１１に土壌固定液を注入する装置である（図１参照）。そのため、本実施例の土壌固定液注入装置は、各地点に土壌固定液を注入するための二重管注入装置２０を１６台有する。また、それぞれの二重管注入装置２０には、ポンプ３０が配設されている。
【００３０】
二重管注入装置２０は、二重管構造となっており、スリーブ２１と内管２６とを有する。内管２６は、スリーブ２１に同軸的に収容されている（図３および図４参照）。
【００３１】
スリーブ２１は、複数本のスリーブパイプ２１１からなる。スリーブパイプ２１１は配管用炭素鋼鋼管からなり、その軸方向の中央部にはリング状に配列した円形の噴出口２１２を有する。リング状に配列した噴出口２１２は、軸方向に２列に並んで開けられている。また、スリーブパイプ２１１の両端部は、それぞれ螺合する螺子（図示せず）が形成されている。したがって、スリーブパイプ２１１の一端は、他のスリーブパイプ２１１の一端と螺合することにより、任意の長さのスリーブ２１を成す。なお、スリーブ２１の一端はパイプキャップ２１０により閉管されている（図２参照）。
【００３２】
スリーブパイプ２１１は、その軸方向の中央部に円筒形のゴムスリーブ２１３を有する。ゴムスリーブ２１３は、スリーブパイプ２１１の外周面に沿って位置し、その軸方向両端部をリング２１４で固定されている。ゴムスリーブ２１３の中央は、リング状に切断されており、この切断された部分が土壌固定液の注入口２１５となる。注入口２１５は、前述のリング状に２列に配列した噴出口２１２の間に位置するように固定されている。ゴムスリーブ２１３は、土壌固定液の注入操作を行っていない場合には、噴出口２１２を閉鎖しているが（図３）、土壌固定液がスリーブ２１に圧入されると、その液圧によりゴムスリーブ２１３が径方向に押圧されて外側へ撓むことにより注入口２１５が開口し、注入口２１５より土壌固定液が噴出する。
【００３３】
内管２６は金属製で、土壌固定液をスリーブ２１へ圧入する圧入部２６１と、ポンプ３０から圧入部２６１へ土壌固定液を送る内管本体２６９と、からなる。
【００３４】
圧入部２６１は筒状で、その中央部に設けられた圧入口２６２と、その両端部の縮径された部分である縮径部２６６と、縮径部２６６の先端部の外周面に形成された螺子部２６７と、を有する。
【００３５】
圧入口２６２は、圧入部２６１の中央部に設けられる。圧入口２６２は円形で、軸方向および周方向に等間隔に形成されている。圧入口２６２からは、土壌固定液がスリーブ２１へと圧入される。
【００３６】
圧入部２６１の両端部には、圧入口２６２からスリーブ２１へ圧入された土壌固定液が流出しないように圧入部周辺を区画する２つの流止具２６５を有する。流止具２６５は、金属製の筒状で一端部が拡径した形状の流止具本体２６３と、ゴム製でリング状のパッカー２６４と、からなる。パッカー２６４は、流止具本体２６３の拡径された一端部に固定される。２つの流止具２６５は、パッカー２６４が向き合うように、圧入部２６１の両端部の縮径部２６６に、それぞれ同軸的に嵌合する。流止具２６５の他端部からは、圧入部２６１の螺子部２６７が突出し、螺子部２６７には、キャップ２６８、他端には内管本体２６９の一端部が螺合する。すなわち、キャップ２６８および内管本体２６９と螺子部２６７との螺合により、嵌合された流止具２６５は縮径部２６６に固定される。
【００３７】
そして、流止具２６５のパッカー２６４がスリーブ２１（スリーブパイプ２１１）の内周面と圧接することにより、土壌固定液が圧入部周辺から軸方向に流出するのを防止できる。なお、パッカー２６４は、内管２６の軸方向への移動（後述）を妨げない。
【００３８】
また、内管本体２６９は、両端部にそれぞれ螺合する形状の螺子が形成された、金属製で筒状の管の一端部同士を所望の長さ螺合し、連結したものである。そして前述のように、内管本体２６９の一端部は、圧入部２６１の螺子部２６７と螺合する。
【００３９】
二重管注入装置２０は、昇降装置２８を有する（図２参照）。昇降装置２８は、内管２６の端部（内管本体２６９の端部であって圧入部２６１と螺合した端部の他端部）を支持する。なお、内管２６の端部は、圧入部２６１がどの位置であっても常に、スリーブ２１から突出する。内管２６は、昇降装置２８が作動することによりスリーブ２１内を軸方向に移動する。昇降装置２８は、油圧ジャッキを用いた形式であって、油圧ジャッキの伸縮量を測定するジャッキ伸び量測定器を有する。油圧ジャッキの伸縮を伸び量を電子制御することで、内管２６の圧入部２６１の位置、すなわち土壌固定液の注入位置が制御される（後述）。
【００４０】
なお、二重管注入装置２０は、地盤１０に形成された各削孔１１に土壌固定液を注入するため、二重管注入装置２０が削孔１１の全長に渡るような長さを有する。したがって、二重管注入装置２０を削孔１１に挿入する際には、二重管注入装置２０の一端は削孔１１の底部に当接し、他端は削孔１１から突出する（図２参照）。
【００４１】
二重管注入装置２０には、ポンプ３０が配設されている。ポンプ３０は、土壌固定液タンク４０から二重管注入装置２０へ土壌固定液を圧送する。そのため、二重管注入装置２０の内管２６とポンプ３０，ポンプ３０と固定タンク４０は、互いに導管を通して接続されている。ポンプ３０は、定量ダイアフラムポンプであって、ポンプ３０の停止、始動、流量の制御は電子制御（後述）される。また、固定タンク４０は、タンクＴ１，Ｔ２，Ｔ３からなり、それぞれ、土壌固定液Ｇ１，Ｇ２および洗浄液Ｄが貯液されている。土壌固定液Ｇ１，Ｇ２および洗浄液Ｄは、電磁弁Ｖ１，Ｖ２およびＶ３を電子制御することにより、ポンプ３０に選択的に供給される。
【００４２】
昇降装置２８、ポンプ３０および電磁弁Ｖ１〜Ｖ３は、制御装置５０により電子制御される。制御装置５０は、駆動制御部と、設定部と、記録表示部と、からなる。設定部には、各ポンプに対して、注入位置（削孔１１の地点および二重管注入装置の昇降位置）、注入量、注入圧力上限値、送液圧力損失、ポンプ吐出流量、また、注入の開始・終了および洗浄が設定される。駆動制御部は、設定部の設定に応じて昇降装置２８およびポンプ３０を制御する。そして、各注入位置の注入状況は、各二重管注入装置２０に設けられた流量・圧力検出発信機（図示せず）により土壌固定液の注入状況を検出し、記録演算機へ発信され、その結果が記録表示部に記録され、画面表示される。
【００４３】
＜注入手順＞
以下に、本実施例の土壌固定液注入装置で土壌固定液を注入する手順を、図を用いて説明する。図５は、本実施例の土壌固定液注入装置で土壌固定液を注入する工程の説明図であって、Ｉ〜ＶＩの順で行われる。なお、図５は、説明のため、各地点の削孔のうちの１つを示している。
【００４４】
はじめに、土壌固定液を注入する対象地盤１０に、ケーシング１１２にて保孔しながら所定深度まで削孔（ケーシング削孔工程）を施し、地盤１０に１６個の削孔１１を掘削する（図５，Ｉ参照）。ケーシング１１２は、削孔１１の内壁面に沿って配置される。
【００４５】
次に、フレキシブルパイプ１１３を削孔１１の底面まで挿入し、速硬セメントからなるシール材Ｓを削孔１１内に充填する（図５，ＩＩ参照）。
【００４６】
シール材Ｓの充填後、直ちに、削孔１１内にスリーブ２１を挿入し、スリーブ２１を建て込む（図５，ＩＩＩ参照）。スリーブ２１の建て込みは、スリーブパイプ２１１の端部同士を螺合させることにより複数本連結させながら行う。なお、はじめに削孔１１内へ挿入されるのは、パイプキャップ２１０により一端が閉管されたスリーブパイプ２１１である。そして、注入口２１５が位置する場所が、土壌固定液を注入する注入位置となる。
【００４７】
スリーブ２１の建て込み後、ケーシング１１２を削孔１１より引き抜く。そして、シール材Ｓが固結するまで養生する。シール材Ｓが十分に固結したら、スリーブ２１へ内管２６を圧入部２６１より挿入する（図５，ＩＶ参照）。なお、内管２６は、昇降装置２８によりスリーブ２１内を昇降移動する。
【００４８】
次に、内管２６へ圧力水Ｗを送り、固結したシール材Ｓの各注入位置にクラック１３を形成する（クラッキング）。クラック１３を形成することにより、土壌固定液の注入路を設けると共に、後の工程で注入される土壌固定液が軸方向へ染み出すのを防止できる。なお、クラッキングは、昇降手段２８により内管２６の圧入部２６１の位置を移動させ、最深の注入位置から順に行う（図５，Ｖ参照）。
【００４９】
クラッキング後、土壌固定液Ｇ１またはＧ２を各注入位置へ注入する。なお、図５，ＶＩは、深度の浅い部分に土壌固定液Ｇ１を、深度の深い部分に土壌固定液Ｇ２を注入する場合を示している。以下に、注入工程の詳細を説明する。
【００５０】
本実施例では、地盤１０に対し、ポルトランドセメントからなるＧ１、超微粒子セメントからなるＧ２の二種類の土壌固定液を注入する。以下、土壌固定液Ｇ１を注入する工程を第一注入工程、土壌固定液Ｇ２を注入する工程を第二注入工程とする。
【００５１】
第一注入工程では、はじめに、制御装置５０により、注入設定を行う。注入設定は、各ポンプ３０に対して設定される。各ポンプ３０は、Ｎｏ．１〜Ｎｏ．１６（Ｐ1 〜Ｐ16とする）まで用意され、各ポンプに対応する注入位置には、それぞれ番号が付けられる。注入位置は、行番号（図１，Ｘ）と列番号（図１，Ｙ）で表される削孔の位置と、削孔の軸方向（深さ方向）に付けられた番号（図１，Ｚ）で表される注入口２１５の位置と、で確定される。すなわち、Ｘ，Ｙ，Ｚの３つの番号により、二重管注入装置２０の二次元的配置位置（Ｘ−Ｙ）および深さ方向位置（Ｚ）が確定され、三次元的に注入位置を判断する。そして、あらかじめ調べた対象地盤１０の地質データから、土壌固定液の液種、注入量、注入速度を選定し、それぞれの注入位置に対して最適な注入量、注入圧力上限値、送液圧力損失、ポンプ吐出流量、を設定する。
【００５２】
設定後、制御装置５０の制御駆動部により、設定部の設定に応じて、それぞれの二重管注入装置２０の昇降装置２８および各ポンプ３０が制御される。まず、昇降装置２８により二重管注入装置２０の内管２６が移動し、内管２６の圧入部２６１が所定の注入口２１５の周辺に位置する（図３参照）。その後、電磁弁Ｖ１が開放され、タンクＴ１の土壌固定液Ｇ１をポンプ３０により内管２６へ所定の流量および圧力で圧送する。内管２６へ圧送された土壌固定液Ｇ１は、圧入部２６１の圧入口２６２よりスリーブ２１へ圧入される。スリーブ２１へ圧入された土壌固定液Ｇ１は、噴出口２１２から径方向にスリーブ２１の外側へと噴出する。そして、噴出口２１２を閉鎖しているゴムスリーブ２１３が土壌固定液Ｇ１の液圧により径方向に押圧されて撓むことにより、注入口２１５が開口し、注入口２１５より土壌固定液が噴出する（図４参照）。噴出した土壌固定液注入Ｇ１は、クラック１３に注入され、やがて土壌に浸透する。
【００５３】
土壌固定液Ｇ１が注入されている間、土壌固定液Ｇ１の注入状況は、流量・圧力検出発信機により検出されて記録演算機へ発信され、その結果が記録表示部に記録され、画面表示される。図６は、表示画面の一例である。たとえば、Ｎｏ．１のポンプＰ1 は、削孔が図１のＸ−Ｙ平面で１−１番に位置し、Ｚ方向の５番の位置にある注入口２１５において、土壌固定液Ｇ１が圧送される圧力、流量、土壌へ注入された総量、注入時間を表示している。
【００５４】
所定の注入位置での注入量が設定値に到達したら、制御装置５０により土壌固定液Ｇ１の圧送を停止し、内管２６を次の注入位置まで移動させ、土壌固定液Ｇ１の注入を行う。そして、設定された全ての注入位置に注入されるまで、内管２６移動および土壌固定液Ｇ１の注入が繰り返される。この移動および注入は、各削孔において、各削孔の設定に従って同時に行われる。
【００５５】
第一注入工程の終了後、制御装置５０により電磁弁Ｖ１を閉じ電磁弁Ｖ３を開放し、洗浄液Ｄを用いてポンプおよび二重管注入装置２０内を洗浄する。その後、第一注入工程と同様に、注入条件を設定を行う。この際、第一注入工程での各注入位置に対する注入データ（土壌固定液の種類、注入量）が制御装置５０に記録されているので、第二工程において再注入を行う注入位置は明確である。注入設定後、第一注入工程と同様に、内管２６の移動および土壌固定液Ｇ２の注入が繰り返され、対象地盤１０が改質される。
【図面の簡単な説明】
【００５６】
【図１】実施例の土壌固定液注入装置の概念図である。
【図２】実施例の土壌固定液注入装置の一部を示す模式図である。
【図３】実施例の土壌固定液注入装置の二重管注入装置の一部を示す模式図である。
【図４】実施例の土壌固定液注入装置の二重管注入装置の一部を示す断面図であって、地盤に土壌固定液を注入している状態を示す。
【図５】実施例の土壌固定液注入装置で土壌固定液を注入する工程の説明図であって、地盤の断面図を示す。
【図６】実施例の土壌固定液注入装置において、制御装置の記録表示部にある表示画面の一例を示す。
【符号の説明】
【００５７】
１０：地盤      １１：削孔
２０：二重管注入装置    ２８：昇降装置（注入管昇降手段）
３０：ポンプ（Ｐ1 〜Ｐ16）
４０：固定液タンク（Ｔ１，Ｔ２，Ｔ３）  Ｇ１，Ｇ２：土壌固定液
５０：制御装置（Ｃ）
【図１】
2005163457.tif 000003
【図２】
2005163457.tif 000004
【図３】
2005163457.tif 000005
【図４】
2005163457.tif 000006
【図５】
2005163457.tif 000007
【図６】
2005163457.tif 000008